(57)【要約】【課題】  コマンドを覚えているユーザによる素早い操作を実現しつつも、コマンドを正確に覚えていないユーザによる操作も容易にできる電子機器を提供する．【解決手段】  対応するコマンドが存在すると、そのコマンドの制御内容に応じた処理を実行する一方、対応するコマンドがない場合には、タイマが提示時間Ｔ１に達するとサポートＯＳＤｃ１をテレビ電話端末機に対して行って、次に入力され得るＤＴＭＦ信号の入力をユーザに促す。したがって、コマンドを覚えているユーザは、素早く指示を行うことができ、テレビ電話端末機を介しての電子機器の素早い操作が可能となる。一方、コマンドを覚えていないユーザは、サポートＯＳＤｃ１を見ながら次の指示を容易に行うことができるので、そのようなユーザによる操作も容易にできる。【選択図】        図１２
2006165852.tif 000002
【特許請求の範囲】
【請求項１】
複数のＤＴＭＦ信号で構成されるコマンドを、公衆電話回線網を通してテレビ電話端末機から受信し、そのコマンドに応じた処理を行う電子機器において、
音声信号からＤＴＭＦ信号を抽出するＤＴＭＦ信号抽出部と、
テレビ電話端末機用に割り当てられたコマンドと、各コマンドに対応した制御内容とが予め記憶されている記憶部と、
指示に応じて計時を開始するタイマと、
ＤＴＭＦ信号を受信するたびに前記記憶部のコマンドと比較し、受信したＤＴＭＦ信号に対応するコマンドが存在する場合にはその制御内容に応じた処理を実行する一方、受信したＤＴＭＦ信号に対応するコマンドが不存在の場合には、前記タイマに計時開始を指示し、コマンドが不存在のまま前記タイマが提示時間を計時した場合には、現在のＤＴＭＦ信号の次に入力され得るＤＴＭＦ信号の入力を促すコマンド提示表示を前記テレビ電話端末機に対して行う制御部と、
を備えていることを特徴とする電子機器。
【請求項２】
請求項１に記載の電子機器において、
前記タイマによる、最後のＤＴＭＦ信号を受信してからの経過時間がリセット時間に達するとコマンドリセット信号を出力するリセット判断部を備え、
前記制御部は、前記リセット判断部からコマンドリセット信号を受けると、入力途中の全ＤＴＭＦ信号及び前記コマンド提示表示を消去することを特徴とする電子機器。
【請求項３】
請求項１または２に記載の電子機器において、
映像信号を出力する映像出力部をさらに備え、
前記制御部は、前記映像出力部の映像に前記コマンド提示表示を重畳させて前記テレビ電話端末機に出力することを特徴とする電子機器。
【請求項４】
複数のＤＴＭＦ信号で構成されるコマンドを、公衆電話回線網を通してテレビ電話端末機から受信し、そのコマンドに応じた処理を行う電子機器において、
ＤＴＭＦ信号を受信するごとに計時を開始するタイマと、
ＤＴＭＦ信号を受信するごとにコマンドが完成したか否かを判断し、完成した場合には完成信号を出力し、未完成の場合には未完成信号を出力する完成判断部と、
前記完成判断部から完成信号が出力された場合には、そのコマンドに応じた処理を行う一方、前記完成判断部から未完成信号が出力されたまま、前記タイマが提示時間を計時した場合には、現在のＤＴＭＦ信号の次に入力され得るＤＴＭＦ信号の入力を促すコマンド提示表示を前記テレビ電話端末機に対して行う制御部と、
を備えていることを特徴とする電子機器。
【請求項５】
請求項４に記載の電子機器において、
最後のＤＴＭＦ信号を受信してからの経過時間がリセット時間に達するとコマンドリセット信号を出力するリセット判断部を備え、
前記制御部は、前記リセット判断部からコマンドリセット信号を受けると、入力途中の全ＤＴＭＦ信号及び前記コマンド提示表示を消去することを特徴とする電子機器。
【請求項６】
請求項４または５に記載の電子機器において、
映像信号を出力する映像出力部をさらに備え、
前記制御部は、前記映像出力部の映像に前記コマンド提示表示を重畳させて前記テレビ電話端末機に出力することを特徴とする電子機器。
【発明の詳細な説明】
【技術分野】
【０００１】
本発明は、複数個のＤＴＭＦ（Dial Tone Multi Frequency）信号（トーンコードとも呼ばれる）からなるコマンドを受信し、そのコマンドに応じた処理を行う、シーケンシャルコマンド方式で動作を制御される電子機器に関する。
【背景技術】
【０００２】
従来の種の「第１の装置」として、携帯電話（１）または通常の電話のテンキー（３）の入力により発生音を生じさせ、この発生音による遠隔制御のためのテンキー音変換アダプタ（５）を携帯電話に接続しておき、別の携帯電話（２）または通常の電話の通信によるテンキー（３）の入力による発生音をテンキー音変換アダプタ（５）でデジタル変換し、携帯電話に接続されている制御機器（４）を遠隔制御するものがある（例えば、特許文献１参照）。
【０００３】
また、この種の「第２の装置」として、携帯電話（５）から出力されるＤＴＭＦトーンを検出するＤＴＭＦ検出手段（１１）と、ＤＴＭＦ検出手段（１１）が検出したＤＴＭＦトーンに対応した設定機能を有し、設定機能に応じた出力信号を補聴器（２）に出力することにより、補聴器（２）の各種特性を設定するコマンド判定手段（１２）とを備えたコントローラ（３）を設けているものがある（例えば、特許文献２参照）。この装置では、表示メニューがインターネット上のサーバから与えられて表示される。
【０００４】
また、「第３の装置」として、コマンド入力手段（１）で入力をされたコマンドに含まれるパラメータ情報の内容を、コマンドの入力が完了した時点でパラメータ情報テーブル（３）の内容に比較してチェックを行い、その内容の良否を評価する入力パラメータチェック手段（４）を備えているものがある（例えば、特許文献３参照）。
【０００５】
また、この装置は、評価の結果、パラメータ情報の追加指定を必要とするとき、パラメータ情報テーブル（３）のパラメータ情報を使用して、その追加指定に必要なメニューを作成する追加パラメータメニュー作成手段（５）を備える。さらに、そのメニューを端末装置（２）へ表示して、使用者に追加すべきパラメータ情報を入力させる追加パラメータ入力手段（６）と、コマンド入力手段（１）で入力したコマンドと、追加パラメータ入力手段（６）で追加入力したパラメータ情報とから、動作させるコマンドを組み立てるコマンド組み手立て手段（７）と、コマンド組み立て手段（７）で組み立てたコマンドを動作させるコマンド機構手段（８）とを備えている。
【特許文献１】特開２００３−２６４６１３号公報（図１〜３、図５）
【特許文献２】特開２００２−３６９２９４号公報（図１、図２、図５）
【特許文献３】特開平１−２２８００９号公報（第１図）
【発明の開示】
【発明が解決しようとする課題】
【０００６】
しかしながら、このような構成を有する従来例の場合には、次のような問題がある。
すなわち、従来の装置のうち「第１の装置」は、全ての入力を待ってコマンドが解析されるので、ユーザがコマンドを全て正確に覚えていなければ、その装置を適切に扱えないという問題がある。
【０００７】
また、「第２の装置」は、表示メニューがサーバから送られてくるので、ＤＴＭＦ信号を入力するたびに表示メニューが表示されるのを待つ必要があって、コマンドを覚えているユーザにとっては操作が煩雑になるという欠点がある。
【０００８】
また、「第３の装置」は、コマンドのパラメータが不足している場合には、追加の内容を入力するように促すが、意図するパラメータの入力を終えたことを明示的に指示する必要がある。そのため、正確にコマンドのパラメータを覚えていない場合には、何度もパラメータの入力と入力を終えたことを明示的に指示する必要があって操作が煩雑となる欠点がある。
【０００９】
本発明は、このような事情に鑑みてなされたものであって、コマンドを覚えているユーザによる素早い操作を実現しつつも、コマンドを正確に覚えていないユーザによる操作も容易にできる電子機器を提供することを目的とする。
【課題を解決するための手段】
【００１０】
本発明は、このような目的を達成するために、次のような構成をとる。
すなわち、請求項１に記載の発明は、複数のＤＴＭＦ信号で構成されるコマンドを、公衆電話回線網を通してテレビ電話端末機から受信し、そのコマンドに応じた処理を行う電子機器において、音声信号からＤＴＭＦ信号を抽出するＤＴＭＦ信号抽出部と、テレビ電話端末機用に割り当てられたコマンドと、各コマンドに対応した制御内容とが予め記憶されている記憶部と、指示に応じて計時を開始するタイマと、ＤＴＭＦ信号を受信するたびに前記記憶部のコマンドと比較し、受信したＤＴＭＦ信号に対応するコマンドが存在する場合にはその制御内容に応じた処理を実行する一方、受信したＤＴＭＦ信号に対応するコマンドが不存在の場合には、前記タイマに計時開始を指示し、コマンドが不存在のまま前記タイマが提示時間を計時した場合には、現在のＤＴＭＦ信号の次に入力され得るＤＴＭＦ信号の入力を促すコマンド提示表示を前記テレビ電話端末機に対して行う制御部と、を備えていることを特徴とするものである。
【００１１】
［作用・効果］請求項１に記載の発明によれば、テレビ電話端末機がユーザによって操作されると、ＤＴＭＦ信号が音声信号に含まれる形で公衆電話回線網を通じて送信され、電子機器により受信される。制御部はＤＴＭＦ信号が受信されるたびに、ＤＴＭＦ信号抽出部で抽出されたＤＴＭＦ信号に基づくコマンドが記憶部にあるか否かを判断し、対応するコマンドが存在すると、そのコマンドの制御内容に応じた処理を実行する。その一方、対応するコマンドがない場合には、タイマに計時の開始を指示するが、タイマが提示時間に達した場合には、「コマンド提示表示」をテレビ電話端末機に対して行って、次に入力され得るＤＴＭＦ信号の入力をユーザに促す。
【００１２】
したがって、複数のＤＴＭＦ信号を時系列的に入力してなるシーケンシャルコマンド入力方式のコマンドを覚えているユーザは、電子機器に対して素早く指示を行うことができ、テレビ電話端末機を介しての電子機器の素早い操作が可能となる。一方、コマンドを覚えていないユーザは、「コマンド提示表示」を見ながら次の指示を容易に行うことができるので、そのようなユーザによる操作も容易に行うことができる。
【００１３】
また、テレビ電話端末機は、表示部の大きさや入力部のキー数が限定されているのが一般的であるので、電子機器を制御するための専用キーを設けることが極めて困難である。したがって、多機能を実現するためには、ＤＴＭＦ信号に対応したキー（数字の０〜９，記号＊、＃、アルファベットＡ〜Ｄ）を順次に指示してコマンドを構成するシーケンシャルコマンド入力方式を採ることになるが、大きさが限定されている表示部にユーザが指示した内容を順次に表示してゆくと、表示部における本来の表示が意味をなさなくなる恐れがある。しかし、「コマンド提示表示」により、次に指示され得るＤＴＭＦ信号だけを指示に応じて順次に表示して、一度に行われる表示を最小限にとどめるので、テレビ電話端末機側の表示部における本来の表示を阻害する恐れがなくなるという利点もある。
【００１４】
また、本発明において、前記タイマによる、最後のＤＴＭＦ信号を受信してからの経過時間がリセット時間に達するとコマンドリセット信号を出力するリセット判断部を備え、前記制御部は、前記リセット判断部からコマンドリセット信号を受けると、入力途中の全ＤＴＭＦ信号及び前記コマンド提示表示を消去することが好ましい（請求項２）。何らかの都合により、ユーザが入力を途中で中断した場合等において、タイマがリセット時間を計時するとリセット判断部がコマンドリセット信号を出力する。すると、制御部は、それまでに入力されているＤＴＭＦ信号とコマンド提示表示を消去して無効化し、ユーザが再度入力を再開しても受け付けないようにしておく。これにより、入力を再開した際に、以前のＤＴＭＦ信号に応じてユーザが意図しないコマンドとなってしまう不都合を回避することができる。
【００１５】
また、本発明において、映像信号を出力する映像出力部をさらに備え、前記制御部は、前記映像出力部の映像に前記コマンド提示表示を重畳させて前記テレビ電話端末機に出力することが好ましい（請求項３，６）。テレビカメラなどの映像出力部からテレビ電話端末機に送られる映像にコマンド提示表示を重畳させることにより、テレビ電話端末機の表示部に電子機器側から見える映像とともにコマンド提示表示を表示させることができる。
【００１６】
また、請求項４に記載の発明は、複数のＤＴＭＦ信号で構成されるコマンドを、公衆電話回線網を通してテレビ電話端末機から受信し、そのコマンドに応じた処理を行う電子機器において、ＤＴＭＦ信号を受信するごとに計時を開始するタイマと、ＤＴＭＦ信号を受信するごとにコマンドが完成したか否かを判断し、完成した場合には完成信号を出力し、未完成の場合には未完成信号を出力する完成判断部と、前記完成判断部から完成信号が出力された場合には、そのコマンドに応じた処理を行う一方、前記完成判断部から未完成信号が出力されたまま、前記タイマが提示時間を計時した場合には、現在のＤＴＭＦ信号の次に入力され得るＤＴＭＦ信号の入力を促すコマンド提示表示を前記テレビ電話端末機に対して行う制御部と、を備えていることを特徴とするものである。
【００１７】
［作用・効果］請求項４に記載の発明によれば、テレビ電話端末機がユーザによって操作され、ＤＴＭＦ信号が送信されると、ＤＴＭＦ信号を受信するごとにタイマが計時を行う。受信したＤＴＭＦ信号によりコマンドが完成した場合には、完成判断部が完成信号を出力し、制御部がそのコマンドに応じた処理を行う。その一方、受信したＤＴＭＦ信号でコマンドが完成せず未完成である場合には、完成判断部が未完成信号を出力する。制御部は、未完成信号が出力されている状態で、タイマが提示時間を計時した場合には、「コマンド提示表示」をテレビ電話端末機に対して行って、ユーザに、現在のＤＴＭＦ信号の次に入力され得るＤＴＭＦ信号の入力を促す。
【００１８】
したがって、複数のＤＴＭＦ信号を時系列的に入力してなるシーケンシャルコマンドを覚えているユーザは、記憶通りにテレビ電話端末機の番号ボタン等を操作して素早くコマンドを指示することにより、電子機器に対して素早く指示を行うことができる。その結果、電子機器の素早い操作が可能となる。一方、コマンドを覚えていないユーザは、マニュアル等を見つつ目的のコマンドを構成する複数個のＤＴＭＦ信号を指示してゆくが、ＤＴＭＦ信号の指示の度に、テレビ電話端末機には次に入力され得るＤＴＭＦ信号に対応する「コマンド提示表示」がなされる。したがって、その表示を見ながら次の指示を容易に行うことができるので、コマンドを正確に覚えていないユーザによる操作も容易に行うことができる。
【００１９】
また、本発明において、最後のＤＴＭＦ信号を受信してからの経過時間がリセット時間に達するとコマンドリセット信号を出力するリセット判断部を備え、前記制御部は、前記リセット判断部からコマンドリセット信号を受けると、入力途中の全ＤＴＭＦ信号及び前記コマンド提示表示を消去することが好ましい（請求項５）。何らかの都合により、ユーザが入力を途中で中断した場合等にリセット時間に達すると、リセット判断部がコマンドリセット信号を出力する。すると、制御部は、それまでに入力されているＤＴＭＦ信号とコマンド提示表示を消去して無効化し、ユーザが再度入力を再開しても受け付けないようにしておく。これにより、入力を再開した際に、以前のＤＴＭＦ信号に応じてユーザが意図しないコマンドとなってしまう不都合を回避することができる。
【発明の効果】
【００２０】
本発明に係る電子機器によれば、複数のＤＴＭＦ信号を時系列的に入力してなるシーケンシャルコマンドを覚えているユーザは、記憶通りにテレビ電話端末機の番号ボタン等を操作して素早くコマンドを指示することにより、電子機器に対して素早く指示を行うことができ、電子機器の素早い操作が可能となる。一方、コマンドを覚えていないユーザは、マニュアル等を見つつ目的のコマンドを構成する複数個のＤＴＭＦ信号を指示してゆくが、ＤＴＭＦ信号の指示の度に、テレビ電話端末機には次に入力され得るＤＴＭＦ信号に対応する「コマンド提示表示」がなされる。したがって、その表示を見ながら次の指示を容易に行うことができるので、コマンドを正確に覚えていないユーザによる操作も容易に行うことができる。
【００２１】
また、テレビ電話端末機は、表示部の大きさや入力部のキー数が限定されているのが一般的であるので、電子機器を制御するための専用キーを設けることが困難である。したがって、多機能を実現するためには、ＤＴＭＦ信号に対応したキー（数字の０〜９，記号＊、＃、アルファベットＡ〜Ｄ）を順次に指示してコマンドを構成するシーケンシャルコマンド入力方式を採ることになるが、大きさが限定されている表示部にユーザが指示した内容を順次に表示してゆくと、表示部における本来の表示が意味をなさなくなる恐れがある。しかし、「コマンド提示表示」により、次に指示され得るＤＴＭＦ信号だけを指示に応じて順次に表示して、一度に行われる表示を最小限にとどめるので、テレビ電話端末機側の表示部における本来の表示を阻害する恐れがなくなるという利点もある。
【発明を実施するための最良の形態】
【００２２】
以下、図面を参照して本発明の一実施例を説明する。
図１は、実施例に係る電子機器の一例である情報提供装置の概略構成を示すブロック図である。
【００２３】
本発明における電子機器に相当する情報提供装置１は、映像化のためのカメラ３と、音声化のためのマイク５を情報提供の手段として備えている。この情報提供装置１は、映像及び音声を出力して、後述するテレビ電話端末機（１７）に提供するための機能を備えている。
【００２４】
なお、上述したカメラ３が本発明における「映像出力部」に相当する。
【００２５】
音声信号処理部７は、マイク５から出力された音声信号ａ１に対して信号処理、例えば、音量の調節を行ってテレビ電話プロトコル処理部１１へ送信音声ａ２として出力する。映像信号処理部９は、カメラ３から出力された映像信号ｂ１に対して信号処理、例えば、明るさやコントラストの調整等を行って、映像合成処理部１０へ送信映像ｂ２として出力する。映像合成処理部１０は、後述するサポートＯＳＤｃ１を送信映像ｂ２に重畳させて、またはサポートＯＳＤｃ１がない場合には重畳させることなく、最終送信映像ｂ３としてテレビ電話プロトコル処理部１１へ出力する。なお、「ＯＳＤ」とは、オンスクリーンディスプレイ(On Screen Display)のことであり、テレビ電話端末機（１７）の表示部（１７ａ）に表示されているカメラ３の映像に重ねて表示される情報等のことを表している。
【００２６】
テレビ電話プロトコル処理部１１は、受け取った送信音声ａ２及び最終送信映像ｂ３に対してテレビ電話プロトコルに基づく処理を施し、通信制御部１３に対して送信データとして出力する。この通信制御部１３は、公衆電話通信網１５を通して、発呼してきた一台のテレビ電話端末機１７との間でテレビ電話通信の制御を行う機能を備えている。上記の最終送信映像ｂ３は、テレビ電話端末機１７の表示部１７ａに対して表示される。さらに、公衆電話通信網１５を介して接続してきたテレビ電話端末機１７から送られてきた音声データや映像データをテレビ電話プロトコル処理部１１に対して出力する。ここでいうテレビ電話端末機１７としては、例えば、携帯電話型であって音声とともに映像を送受信できるものであり、ＦＯＭＡ／フォーマ（登録商標：株式会社エヌ・ティ・ティ・ドコモ）が例示される。また、回線が接続された状態でテレビ電話端末機１７のＤＴＭＦ信号に対応したキー入力部１７ｂをユーザが操作すると、テレビ電話端末機１７内部においてＤＴＭＦ信号が生成され、これが音声データに重畳されて情報提供装置１に対して送られてくる。
【００２７】
テレビ電話プロトコル処理部１１は、テレビ電話端末機１７と接続した後、そのテレビ電話端末機１７から受信した音声データと映像データに基づく受信音声と受信映像を、図示しない音声信号処理部と映像信号処理部に対して出力する。そして、情報提供装置１が備えているスピーカ（図示省略）や表示部（図示省略）から出力することが可能なようになっている。
【００２８】
テレビ電話プロトコル処理部１１は、受信した映像データと音声データのうち、音声データのみをＤＴＭＦ信号抽出部１９に対して出力する（音声データｄ１）。このＤＴＭＦ信号抽出部１９は、受け取った音声データｄ１からＤＴＭＦ（Dial Tone Multi Frequency）信号ｅ１だけを抽出し、ＤＴＭＦデータｆ１として制御部２０に対して出力する。具体的には、制御部２０が備えているサポートＯＳＤ制御部２１とＤＴＭＦ記憶部２３に対して出力する。
【００２９】
ＤＴＭＦ記憶部２３は、ＤＴＭＦ信号記憶部２５とＤＴＭＦポインタ２７を備えている。ＤＴＭＦ信号記憶部２５は、１つのＤＴＭＦデータｆ１だけを記憶する領域を複数個備えて構成されている。本実施例では、例えば、０番から２番までの３つの領域を備えている。ＤＴＭＦポインタ２７は、受け取った最新のＤＴＭＦデータｆ１が、ＤＴＭＦ信号記憶部２５の複数個の記憶領域のうち、何番目の領域に記憶されるかを示すデータを保持するために用いられる。なお、ＤＴＭＦ記憶部２３は、図示しないＦＩＦＯ受信バッファを備えており、順次に送られてくるＤＴＭＦデータｆ１を先入れ先出し方式で記憶する。
【００３０】
上述した制御部２０は、さらにコマンド解析部２９と、サポートＯＳＤ生成部３３と、コマンド実行部３５とを備えている。
【００３１】
コマンド解析部２９は、ＤＴＭＦ信号記憶部２５のＤＴＭＦデータｆ１を順次に参照し、複数個のＤＴＭＦデータｆ１がどのコマンドに対応しているかを解析する。その際には、記憶部３７を参照する。この記憶部３７は、サポートＯＳＤ素材３９と、コマンドテーブル４１を記憶している。なお、コマンドテーブル４１の具体例を図２に、サポートＯＳＤ素材３９の具体例を図３に示す。詳細には、コマンド解析部２９は、ＤＴＭＦ信号記憶部２５に新たなＤＴＭＦデータｆ１が記憶されるたびに、記憶部３７のコマンドテーブル４１を参照し、複数個のＤＴＭＦデータｆ１に対応するコマンドが存在するか否かを解析するとともに、コマンドが存在しているにもかかわらず現時点ではコマンドが確定していない場合には、その旨をサポートＯＳＤ制御部２１に対して通知する。
【００３２】
サポートＯＳＤ制御部２１は、コマンド解析部２９からの通知を受けるとともに、タイマＡ４３及びタイマＢ４５の制御を行う。具体的には、タイマＡ４３及びタイマＢ４５による計時を開始したり、逆に計時を停止させたりするとともにリセットを行う。また、タイマＡ４３が提示時間Ｔ１でタイムアップしたり、タイマＢ４５がリセット時間Ｔ２でタイムアップしたりする際には、後述する二種類の割込処理に処理を移行し、サポートＯＳＤの表示やサポートＯＳＤの消去を行う。
【００３３】
なお、上記のサポートＯＳＤ制御部２１が本発明における「リセット判断部」に相当する。
【００３４】
サポートＯＳＤ生成部３３は、サポートＯＳＤ制御部２１からの指示に応じて、サポートＯＳＤｃ１を映像合成処理部１０に対して出力する。サポートＯＳＤｃ１は、記憶部３７のサポートＯＳＤ素材３９に応じて生成される。このサポートＯＳＤ素材は、例えば、図３に示すようなものであり、図３（ａ）は明るさを、図３（ｂ）は鏡像モードを、図３（ｃ）は発呼モードを、図３（ｄ）はナイトモードを、（ｅ）は制御出力を示す。サポートＯＳＤ生成部３３は、状況に応じて上記の素材を組み合わせたり、他の素材を組み合わせたりしてサポートＯＳＤｃ１を生成する（詳細後述）。また、サポートＯＳＤ生成部３３は、コマンドが確定して制御内容の実行が行われた後に、そのコマンドが実行されたことを明示的にユーザに対して示すためのＯＳＤ（以下、「結果ＯＳＤ」と称する）を生成して出力する。さらに、コマンドが存在しないことが判明した場合に、ユーザに対してコマンドの不存在を明確に示すための「エラーＯＳＤ」の表示も行う。
【００３５】
コマンド実行部３５は、コマンド解析部２９からの指示に応じて音声信号処理部７、映像信号処理部９、制御出力部４７を制御する。制御出力部４７は、例えば、制御対象を接続可能な４個の出力端子ＯＵＴ１〜４を備え、各々にライトやブザーなどを接続することができる。具体的な制御としては、例えば、コマンドの解析結果に応じて、音声信号ａ１のレベルを調整したり、映像信号ｂ１の明るさやコントラスト等を調整したり、制御出力部４７に接続されている装置を個別に制御すること等が挙げられる。また、例えば、後述する複数音コマンドが明るさの設定の場合、図１におけるコマンド実行部３５は、映像信号処理部９に対し明るさを制御する電圧値を出力し、それを受けて映像信号処理部９がカメラ３から入力された映像の明るさを調整し、映像合成処理部１０に出力する（送信映像ｂ２）。
【００３６】
上述した構成を備えている制御部２０は、各部を連携させて後述するような一連の動作を行うようになっている。
【００３７】
次に、図２を参照して、この情報提供装置１が備えているコマンドについて説明する。なお、図２は、コマンドテーブルの内容を模式的に示した図である。
【００３８】
コマンドテーブル４１は、状態及び対応する動作を規定し、詳細にはＤＴＭＦコマンドと、各ＤＴＭＦコマンドに対応する制御内容とを規定するものである。コマンドは、複数音コマンド（割当コマンド）と、一音コマンドとに大きく分けられ、さらにコマンドエラーと、サポートＯＳＤとを備えている。「複数音コマンド」は、先頭のＤＴＭＦ信号が記号［＊］か記号［＃］の「キーコマンド」で構成され、それに続く一つ又は二つのＤＴＭＦ信号で構成されるものである。例えば、記号［＊］に続いて数字［１］が与えられ、さらに数字［１］が与えられた場合には、明るさが最小となるように制御が行われる。また、記号［＃］に続いて数字［１］が与えられ、さらに続いて数字［１］が与えられた場合には、出力端子ＯＵＴ１がオンにされる。なお、コマンドの説明において使用している［］及び→は、その中の記号や数字を強調するためのものであり、その符号はコマンドとは何ら関係がないものである。
【００３９】
「コマンドキャンセル」とは、入力中のＤＴＭＦ信号をキャンセルするためのコマンドであり、ユーザが入力途中で間違いに気が付いた場合に利用されるものである。具体的には、「キーコマンド」に続いて数字［９］あるいは、［９］以外の数字に続いて数字［９］を入力すると、それまでの入力がキャンセルされるようになっている。詳細には、コマンド解析部２９がＤＴＭＦ記憶部２３の内容をクリアする。
【００４０】
「一音コマンド」とは、複数のＤＴＭＦ信号ではなく、単一のＤＴＭＦ信号だけで構成されるコマンドであり、「キーコマンド」の入力に代えて最初から数字［２］等で構成される。
【００４１】
「コマンドエラー」とは、定義されていないＤＴＭＦ信号が入力された場合の動作を定義するものである。この場合、サポートＯＳＤ制御部３３は、サポートＯＳＤ素材３９から文字列「そのコマンドは正しくありません」を取り出してエラーＯＳＤとして出力する。その文字列は、テレビ電話端末機１７の表示部１７ａに表示される。
【００４２】
「サポートＯＳＤ」とは、コマンドの内容をヘルプのように表示させるためのものである。例えば、ユーザがテレビ電話端末機１７のキー入力部１７ｂを操作し、例えば、キーコマンド［＊］を入力した状態から、続けて数字等が入力されずに一定時間（後述する提示時間Ｔ１）が経過した場合には、キーコマンド［＊］に続いて入力され得るＤＴＭＦ信号が表示される（第１階層メニューの表示）。具体的には、図４の模式図に示すようにテレビ電話端末機１７の表示部１７ａに、いわゆるヘルプメニューのようなサポートＯＳＤｃ１が表示される。つまり、キーコマンド［＊］に続いて入力されてコマンドを形成し得るのは、図２に示すように数字［１］〜［４］，［９］，［０］に対応するＤＴＭＦ信号だけであるので、これらを表示するとともに、対応する制御内容を模倣したアイコンが表示される。なお、図２に示すように、キーコマンド［＊］に続いて数字［５］〜［８］が入力されてもコマンドとして成立しないので、これらの部分には数字やアイコンが表示されないようになっている。
【００４３】
また、キーコマンド［＃］を入力した状態から、続けて数字等が入力されずに一定時間が経過した場合には、図５に示すようにキーコマンド［＃］に続くＤＴＭＦ信号を表したサポートＯＳＤｃ１が表示される（第１階層メニューの表示）。つまり、キーコマンド［＃］に続いて入力されてコマンドを形成し得るのは、図２に示すように数字［１］〜［４］，［９］，［０］だけであるので、これらを表示するとともに、各数字に対応する制御内容を模倣したアイコンが表示される。なお、図２に示すようにキーコマンド［＃］に続いて数字［５］〜［８］が入力されてもコマンドが成立しないので、その部分には数字やアイコンが表示されない。
【００４４】
さらに、キーコマンド［＊］に続いて数字［１］が選択、つまり「明るさ設定」が選択された場合であって、その状態から続けて数字等が入力されずに一定時間（後述する提示時間Ｔ１）が経過した場合には、図６に示すようにキーコマンド［＊］に続く数字［１］に続いて入力可能なＤＴＭＦ信号を表したサポートＯＳＤｃ１が表示される（第２階層メニューの表示）。具体的には、キーコマンド［＊］に続く数字［１］に続いて入力されることでコマンドとして成り立つのは、図２に示すように数字［１］〜［５］，［９］に対応するＤＴＭＦ信号だけであるので、これらを表示するとともに、各数字に対応する制御内容を模倣したアイコンが表示される。なお、コマンドとして成立しない数字［６］〜［８］，［０］に対応する位置に数字やアイコンが表示されないのは、上記同様である。
【００４５】
同様に、キーコマンド［＊］に続いて数字［２］〜［４］が選択された場合、その状態から続けて数字等が入力されずに一定時間（後述する提示時間Ｔ１）が経過した場合には、図７に示すようにキーコマンド［＊］に続く数字［２］〜［４］のいずれか一つに続いて入力され得るＤＴＭＦ信号を表したサポートＯＳＤｃ１が表示される（第２階層メニューの表示）。つまり、キーコマンド［＊］に続く数字［２］〜［４］のいずれか一つに続いて入力されてコマンドを形成またはキーコマンド［＃］に続く数字［１］〜［４］のいずれか一つに続いて入力されてコマンドを形成し得るのは、図２に示すように数字［１］，［２］に対応するＤＴＭＦ信号だけである。したがって、これらを表示するとともに、各数字に対応する「オン」、「オフ」の制御内容を示すアイコン（文字）が表示される。なお、対応するコマンドがない箇所には上述したものと同様の表示がなされる。また、キーコマンド［＃］に続いて数字［１］〜［４］が選択された場合も図７に示すサポートＯＳＤｃ１と同様なものが表示される。
【００４６】
なお、上記サポートＯＳＤが本発明における「コマンド提示表示」に相当するものである。
【００４７】
次に、図８〜図１１を参照して、上述した構成の情報提供装置１の動作について説明する。ここで、図８は主動作の流れを示すフローチャートであり、図９はコマンドエラーの流れを示すフローチャートである。なお、以下の説明は、主として上述した制御部２０における動作である。
【００４８】
ステップＳ１
サポートＯＳＤ制御部２１は、タイマＡ４３及びタイマＢ４５を停止（リセット）するとともに、サポートＯＳＤ生成部３３に対してサポートＯＳＤｃ１を消去させる指示を行う。ここでいうサポートＯＳＤｃ１は、後述する結果ＯＳＤ、エラーＯＳＤ、サポートＯＳＤを含むものである。つまり、テレビ電話端末機１７の表示部１７ａに重畳表示されている表示を全て消去することを意味する。
【００４９】
ステップＳ２
ＤＴＭＦポインタ２７が「０」であるか否かを判断し、その結果に応じて処理を分岐する。つまり、受け取った最新のＤＴＭＦデータｆ１が最初のＤＴＭＦ信号であるか否かを判断する。
【００５０】
ステップＳ３
受け取った最新のＤＴＭＦデータｆ１が最初のＤＴＭＦ信号である場合には、これが「一音コマンド」（図２参照）であるか否かを判断し、さらに処理を分岐する。ここでは、コマンド解析部２９が、コマンドテーブル４１を参照して、ＤＴＭＦデータｆ１だけで構成されるコマンドが存在するか否かを判断する。
【００５１】
ステップＳ４
上記の判断で「一音コマンド」であると判断された場合には、コマンド実行部３５が対応する制御内容を実行する。
【００５２】
ステップＳ５
上記の制御内容の実行による「結果ＯＳＤ」をサポートＯＳＤ生成部３３が生成し、サポートＯＳＤｃ１として映像合成処理部１０に対して出力する。具体的には、「一音コマンド」としてカメラ視点移動（数字［２］など）が入力された場合には、その内容を示すアイコンが結果ＯＳＤとしてテレビ電話端末機１７の表示部１７ａに表示されることになる。
【００５３】
ステップＳ６
サポートＯＳＤ生成部３３は、結果ＯＳＤの出力を維持して一定時間（例えば、３秒間）だけ待つ。これは、テレビ電話端末機１７の表示部１７ａに表示されている結果ＯＳＤがユーザによって認識される時間的余裕を与えるためである。
【００５４】
ステップＳ７
サポートＯＳＤ生成部３３は、結果ＯＳＤの出力を停止して結果ＯＳＤを消去する。
【００５５】
次に、上述したステップＳ３において、「一音コマンド」ではないと判断された場合について以下に説明する。
【００５６】
ステップＳ８
一音コマンドではない場合には、図２に示すように、複数音コマンド（割当コマンド）であるか否かであるので、その判断を行う。
【００５７】
ステップＳ９
割当コマンドではないと判断された場合、例えば、ＤＴＭＦデータｆ１が数字［１］であった場合には、最初にその数字が割り当てられたコマンドは存在しない。そこで、コマンド解析部２９は、コマンドエラーであると判断する。
【００５８】
ここで「コマンドエラー処理」について、図９を参照しながら説明する。
【００５９】
ステップＳ２１
コマンドエラーであると判断された場合には、ＤＴＭＦポインタ２７に「０」を格納して内容をクリアする。これにより、次に受け取られたＤＴＭＦデータｆ１は、ＤＴＭＦ信号記憶部２５の最初の記憶領域に記憶されることになる。これは、コマンドエラーであることから、ＤＴＭＦ記憶部２３に蓄積しているデータが不要となったためである。
【００６０】
ステップＳ２２
「そのコマンドは正しくありません」というエラーＯＳＤの表示を行う。これにより、テレビ電話端末機１７の表示部１７ａには、その旨が表示され、ユーザは自分の入力ミスを認識することになる。
【００６１】
ステップＳ２３
サポートＯＳＤ生成部３３は、エラーＯＳＤの出力を維持して一定時間（例えば、３秒間）だけ待つ。これは、エラーであったことがユーザによって認識される時間的余裕を与えるためである。
【００６２】
上記でコマンドエラー処理を終え、ここで図８に戻る。
コマンドエラー処理が終わると、新たなＤＴＭＦデータｆ１が受信されると、上述したステップＳ１からの処理が再度始まり、タイマＡ４３，タイマＢ４５を停止するとともに、サポートＯＳＤ生成部３３からのサポートＯＳＤｃ１の出力を停止する。結果ＯＳＤもエラーＯＳＤにしても、既に消去されているはずであるが、ここでは念のために再度消去を行う。
【００６３】
次に、上述したステップＳ８において、Ｙｅｓと判断された場合について説明する。
つまり、最初のＤＴＭＦデータｆ１が「割当コマンド」に該当した場合である。
【００６４】
ステップＳ１０
最初のＤＴＭＦデータｆ１が「キーコマンド」であるか否かを判断して処理を分岐する。キーコマンドとは、上述したように複数音コマンドの先頭を構成しうる記号［＊］か記号［＃］のことである。ここでは、記号［＊］であったものとして説明する。
【００６５】
ステップＳ１１
ＤＴＭＦ信号記憶部２５の記憶領域のうち、第０番地に最初のＤＴＭＦデータｆ１を格納する。これとともにＤＴＭＦポインタ２７の内容を「１」とする。つまり、次の格納領域として、第１番地の領域を確保するのである。
【００６６】
一方、ステップＳ１０において「キーコマンド」ではないと判断された場合には、ステップＳ１２へ分岐する。つまり、この場合には、ＤＴＭＦデータｆ１がキーコマンドを表す符号［＊］，［＃］以外の数字［１］，［２］等であることを示す。
【００６７】
ステップＳ１２，Ｓ１３
ＤＴＭＦ信号記憶部２５のうち、ＤＴＭＦポインタ２７が示す番地にＤＴＭＦデータｆ１を格納する。そして、ＤＴＭＦポインタ２７の内容をインクリメントし、次に記憶する領域の番地の値を１だけ進めておく。
【００６８】
ステップＳ１４
コマンド解析部２９は、ＤＴＭＦ信号記憶部２５の記憶内容とコマンドテーブル４１のコマンドを比較して、現在の記憶内容がコマンドに該当するか否かを判断する。存在しないコマンド（複数音コマンドが確定する途中の段階にあるものを除く）である場合には、上述したステップＳ９へ移行して、コマンドエラー処理を行う。
【００６９】
ステップＳ１５
ステップＳ１４においてコマンドが存在すると判断された場合には、このステップＳ１５に移行する。そして、複数音コマンドが確定したか否かを判断してさらに処理を分岐する。
【００７０】
ステップＳ１６，Ｓ１７
上記のステップＳ１５において複数音コマンドが確定した場合には、コマンド実行部３５がそのコマンドに対応する制御内容を実行する。さらに、コマンド解析部２９は、ＤＴＭＦポインタ２７の内容を「０」にする。これは複数音コマンドが確定して処理が実行され、ＤＴＭＦ信号記憶部２５の記憶内容が不要となったためである。
【００７１】
次に、ステップＳ２においてＤＴＭＦポインタ２７の内容が「０」ではなかった場合、つまり複数個のＤＴＭＦデータｆ１を受信した状態で、それがコマンドとして存在するが、まだコマンドとして確定していない場合（ステップＳ１，Ｓ２，Ｓ１０，Ｓ１１またはＳ１２とＳ１３，Ｓ１４，Ｓ１５からステップＳ１６への流れ）について説明する。また、これはステップＳ２においてＤＴＭＦポインタ２７の内容が「０」であった場合、つまり一つのＤＴＭＦデータｆ１を受信した状態で、それが一音コマンドではなく割当コマンドであり、それがコマンドとして存在するが、まだコマンドとしては確定していない場合（ステップＳ１，Ｓ２，Ｓ３，Ｓ８，Ｓ１０，Ｓ１１またはＳ１２とＳ１３，Ｓ１４，Ｓ１５からステップＳ１６への流れ）であっても同様である。
【００７２】
ステップＳ１８
このステップＳ１８へは、通常、一つ以上のＤＴＭＦ信号ｆ１を受信した状態であって、コマンドが確定していな状態であれば移行してくる。ここでは、タイマＡ４３及びタイマＢ４５を開始する処理を行う。このようにタイマＡ４３及びタイマＢ４５による計時を開始した後、タイマＡ４３が提示時間Ｔ１に到達すると、タイマＡ割込処理への割り込み処理が発生し、タイマＢ４５がリセット時間Ｔ２に達すると、タイマＢ割込処理への割り込み処理が発生する。
【００７３】
なお、提示時間Ｔ１＜リセット時間Ｔ２の関係にあり、例えば、提示時間Ｔ１は０．５秒であり、リセット時間Ｔ２は１０秒である。ここにおける時間は、情報提供装置１において実際に設定される時間であるが、ユーザ側であるテレビ電話端末機１７側から見た時間は、公衆電話通信網１５を通して往復に要する応答時間（例えば、２〜３秒程度）も介在するので、それぞれに応答時間を加算した程度となる。
【００７４】
まず、「提示時間Ｔ１に到達」した場合について説明する。ここで図１０を参照する。なお、図１０は、タイマＡの割り込み処理を示すフローチャートである。
【００７５】
ステップＳ３１
タイマＡ４３が提示時間Ｔ１に達すると、タイマＡ割込処理が生じるが、まずサポートＯＳＤ制御部２１は、タイマＡ４３の計時動作を停止させる。
【００７６】
ステップＳ３２
サポートＯＳＤ生成部３３は、タイマＡ割込処理が生じたことにより、サポートＯＳＤの表示を行う。つまり、そのときの状態に応じて、サポートＯＳＤ素材３９から適宜の素材を参照してそれに基づくサポートＯＳＤｃ１を映像合成処理部１０に対して出力する。このサポートＯＳＤｃ１は、テレビ電話端末機１７の表示部１７ａに表示される。具体的には、現時点までのＤＴＭＦデータｆ１に基づいて、これ以降に入力され得るＤＴＭＦデータｆ１に対応するＤＴＭＦ信号の入力を促す表示を行う。
【００７７】
ここで、上記の提示時間Ｔ１に達した場合について具体例を挙げて説明する。
ユーザがＤＴＭＦ信号に対応したキー入力部１７ｂを操作し、割当コマンド「＊」に相当するＤＴＭＦ信号を送出した状態では、図２に示すように、次に入力され得るＤＴＭＦ信号は数字［１］〜［４］，［９］，［０］だけである。したがって、図４に示すサポートＯＳＤが表示されることになる。これを見たユーザは、次にどのＤＴＭＦ信号を送出すれば所望するコマンドとなるかが容易に分かる。次いで、例えば、ユーザが割当コマンド「＊」に続いて、ＤＴＭＦ信号に対応したキー入力部１７ｂの数字［１］を押下してＤＴＭＦ信号を送出した状態で、続くＤＴＭＦ信号を送出しなかった場合には、図６に示すサポートＯＳＤが表示されることになる。これにより、ユーザは、キー入力部１７ｂのどの数字を押下すれば目的とする明るさ設定にすることができるかを容易に知ることができる。
【００７８】
このように、対応するコマンドが存在すると、そのコマンドの制御内容に応じた処理を実行する一方、対応するコマンドがない場合には、タイマが「提示時間」に達すると「コマンド提示表示」をテレビ電話端末機１７に対して行って、次に入力され得るＤＴＭＦ信号の入力をユーザに促す。したがって、複数のＤＴＭＦ信号を時系列的に入力してなるシーケンシャルコマンド入力方式のコマンドを覚えているユーザは、情報提供装置１に対して素早く指示を行うことができ、テレビ電話端末機１７を介しての情報提供装置１の素早い操作が可能となる。一方、コマンドを覚えていないユーザは、「サポートＯＳＤ」を見ながら次の指示を容易に行うことができるので、そのようなユーザによる操作も容易に行うことができる。
【００７９】
次に、「リセット時間Ｔ２に到達」した場合について説明する。ここで図１１を参照する。なお、図１１は、タイマＢの割り込み処理を示すフローチャートである。
【００８０】
ステップＳ４１
タイマＢ４５がリセット時間Ｔ２に達すると、タイマＢ割込処理が生じるが、最初にサポートＯＳＤ制御部２１は、タイマＢ４５の計時動作を停止させる。
【００８１】
ステップＳ４２
コマンド解析部２９は、ＤＴＭＦポインタ２７の内容を「０」にする。これは入力が長時間途絶えたことから、これ以上の操作が行われなくなったと判断し、途中まで入力されていたＤＴＭＦ信号をキャンセルするためである。
【００８２】
ステップＳ４３
サポートＯＳＤ生成部３３は、映像合成処理部１０へ出力しているサポートＯＳＤｃ１を消去する。これによりユーザに示されているサポートＯＳＤの表示が消される。
【００８３】
上記リセット時間Ｔ２が経過した時点で上記処理を行うことにより、何らかの都合で、ユーザが入力を途中で中断したり、入力を中断せざるを得なくなったりした場合等にユーザが再度入力を再開しても受け付けないようにしておくことができる。これにより、入力を再開した際に、以前のＤＴＭＦ信号に応じてユーザが意図しないコマンドとなってしまう不都合を回避することができる。
【００８４】
次に、図１２を参照して操作例の流れについて模式的に説明する。なお、図１２は、動作時における操作側から見た流れを示す模式図である。図中、テレビ電話端末機１７の表示部１７ａに描かれている符号「Ｄ」は、表示部１７ａに表示されている情報提供装置１のカメラ３からの映像信号（図１の最終送信映像ｂ３）に基づく、テレビ電話端末機１７の受信画像を示している。
【００８５】
ここでは、一例として上述した操作例と同様に、情報提供装置１からの画像の明るさを中間に設定するためのコマンド（［＊］→［１］→［３］）をユーザが指示する場合について説明する。
【００８６】
図の左側の操作流れＦＬ１は、ユーザが完全にコマンドを覚えている場合である。つまり、ユーザは、テレビ電話端末機１７のキー入力部１７ｂを操作し、符号［＊］に続けて短時間（提示時間Ｔ１＋応答時間）のうちにそれぞれ数字［１］，［３］を押下する。すると、そのコマンドの処理が実行された後、テレビ電話端末機１７の表示部１７ａには、「結果ＯＳＤ」である明るさ「３」の設定を模したアイコンが受信画像Ｄに重畳表示される。
【００８７】
図の中央の操作流れＦＬ２は、ユーザが割当コマンド［＊］を送出したものの、それに続く２番目のＤＴＭＦ信号を覚えておらず送出できなかった場合である。つまり、符号［＊］を送出した後、提示時間Ｔ１＋応答時間を超えても次の数字を送出できなかった場合には、表示部１７ａの受信画像ＤにサポートＯＳＤｃ１が重畳表示される。これを見て次の数字［１］と、これに続く［３］を素早く入力した場合には、そのコマンドの処理が実行された後、テレビ電話端末機１７の表示部１７ａには「結果ＯＳＤ」が受信画像Ｄに重畳表示される。
【００８８】
図の左側の操作流れＦＬ３は、ユーザが割当コマンド［＊］と、これに続く数字［１］を送出したものの、それに続く最後のＤＴＭＦ信号を覚えておらず送出できなかった場合である。つまり。符号［＊］及び数字［１］を送出した後、提示時間Ｔ１＋応答時間を超えても次の数字を送出できなかった場合には、表示部１７ａの受信画像ＤにサポートＯＳＤｃ１が重畳表示される。
【００８９】
なお、上述したように、サポートＯＳＤｃ１が表示された状態で、リセット時間Ｔ２が経過した場合には、操作流れＦＬ７，８に示すように、サポートＯＳＤが消去されて受信画像Ｄだけの表示に戻る。
【００９０】
一般的にテレビ電話端末機１７は、表示部１７ａの大きさや入力部のキー数が限定されているのが一般的であるので、情報提供装置１を制御するための専用キーを設けることが極めて困難である。したがって、多機能を実現するためには、キー入力部１７ｂを順次に指示してコマンドを構成するシーケンシャルコマンド入力方式を採ることになるが、大きさが限定されている表示部１７ａにユーザが指示した内容を順次に表示してゆくと、表示部１７ａにおける本来の表示（受信画像Ｄ）が意味をなさなくなる恐れがある。しかし、上述したような「サポートＯＳＤ」により、次に指示され得るＤＴＭＦ信号だけを指示に応じて順次に表示して、一度に行われる重畳表示を最小限にとどめるので、テレビ電話端末機１７側の表示部１７ａにおける本来の表示（受信画像Ｄ）を阻害する恐れがなくなるという利点もある。
【００９１】
本発明は、上記実施形態に限られることはなく、下記のように適宜に変形実施することができる。
【００９２】
（１）上述した実施例では、カメラ３及びマイク５を備えた情報提供装置１を例示し、これらからの映像及び音声をテレビ電話端末機１７に出力しているが、それらを備えずに情報提供を行わない、単にテレビ電話端末機１７から制御されるだけの電子機器であってもよい。
【００９３】
（２）上記の実施例では、制御部２０の構成をサポートＯＳＤ制御部２１やサポートＯＳＤ生成部３３等で構成しているが、本発明における制御部と同様の機能を備えるものであれば、どのような構成を採ってもよい。
【００９４】
（３）上記の実施例では、コマンド（［＊］→［１］→［３］）をユーザが指示する場合において、キーコマンド［＊］を指示した時点から提示時間Ｔ１（＋応答時間）の経過後にサポートＯＳＤを表示し、数字［１］を指示した時点から提示時間Ｔ１（＋応答時間）の経過後にサポートＯＳＤを表示した。しかし、キーコマンド［＊］の入力に対応するサポートＯＳＤの表示後に、数字［１］を入力した場合には、提示時間Ｔ１（＋応答時間）を待つことなく、数字［１］の入力直後に（応答時間の後に）サポートＯＳＤを迅速表示させるようにしてもよい。
【００９５】
そもそもキーコマンド［＊］を覚えていないユーザは、その下層に割り当てられている数字の意味についても覚えておらず、その後の操作にも迷うのが一般的であると思われるからである。このように、各階層におけるサポートＯＳＤが表示されるまでの時間を一定にせず、一度でもサポートＯＳＤを表示した後は、提示時間Ｔ１を計時することなくサポートＯＳＤの迅速表示を行うことにより、装置に対するユーザの習熟度に応じて可変的に補助を行うことができる。したがって、一度でも提示時間Ｔ１のタイムアップが生じた場合には、コマンドを正確に覚えていないユーザによる操作が行われていると判断して、サポートＯＳＤを早く表示させることで、結果として、不慣れなユーザでもコマンドが確定するまでの時間を短縮できる。
【００９６】
（４）また、上記の実施例において、テレビ電話端末機１７から受信したＤＴＭＦ信号に応じて次のような音声エコーをテレビ電話プロトコル処理部１１から送り返すようにしてもよい。
【００９７】
コマンドエラーが生じた場合には、例えば、「ピィピィ」という音声信号を音声エコーとして送り返す。複数個のＤＴＭＦ信号からなるコマンドを受け付けた場合には、例えば、「ピィー」という音声信号を音声エコーとして送り返す。但し、上述した一音コマンドである場合には、音声エコーは発生させない。また、ＤＴＭＦ信号を順次に受信している途中で、まだコマンドが確定していない場合には、音声エコーは発生させないようにする。
【００９８】
上記の音声エコーをテレビ電話端末機１７のユーザに向けて送信する構成を採用することにより、キー入力部１７ｂを見ることなく、いわゆるブラインドタッチのように複数個のＤＴＭＦ信号を順次に入力するユーザの場合に、情報提供装置１の状況を表示部１７ａから確認する必要がなく、耳で確認することができるという効果を奏する。
【００９９】
（５）上述した実施例では、多機能を実現するために複数個のＤＴＭＦ信号からなるコマンドが比較的複雑に構成されているが、例えば、全てのコマンドが「二桁の数字」にあたるＤＴＭＦ信号だけで構成されている簡易な構成のものであってもよい。
【０１００】
その場合には、上述した実施例における図８のフローチャートにおけるステップＳ３，Ｓ８，Ｓ１０の判断が不要となり、主としてステップＳ１２〜Ｓ１７，Ｓ５〜Ｓ７の流れと、ステップＳ１８の流れだけで処理が可能となる。
【０１０１】
すなわち、最初のＤＴＭＦ信号を受信するごとに、サポートＯＳＤ制御部２１がタイマＡ４３，タイマＢ４５を作動させ、提示時間Ｔ１とリセット時間Ｔ２を計時し始め（ステップＳ１８）、提示時間Ｔ１がアップする前にコマンドが確定したらそのコマンドの制御内容を実行する（ステップＳ１６）。そして、最初のＤＴＭＦ信号を受信してから次のＤＴＭＦ信号を受信するまでに提示時間Ｔ１（＋応答時間）が経過したら、サポートＯＳＤの表示を行う（ステップＳ３２）。さらに、最初のＤＴＭＦ信号を受信してからリセット時間Ｔ２（＋応答時間）が経過したら、それまでのＤＴＭＦ信号をキャンセルし（ステップＳ４２）、サポートＯＳＤの表示を消去する（ステップＳ４３）。
【０１０２】
なお、ハード的には、コマンド解析部２９（本発明における完成判断部に相当）がコマンドの完成／未完成を判断し、完成した場合には「完成信号」をサポートＯＳＤ制御部２１やコマンド実行部３５に出力する。一方、未完成の場合には、「未完成信号」を出力する。これらのうちのいずれかの信号を受けたサポートＯＳＤ制御部２１は、信号に応じて上述した処理を実行する。
【０１０３】
（６）なお、コマンドが全て同一の桁数からなる場合には、上記（３）における処理と同様の構成で同じ効果を奏する。つまり、最終桁のＤＴＭＦ信号を受信するまで（コマンドが確定するまで）、ＤＴＭＦ信号を受信するたびにタイマの計時を行うように構成すればよい。
【図面の簡単な説明】
【０１０４】
【図１】実施例に係る電子機器の一例である情報提供装置の概略構成を示すブロック図である。
【図２】コマンドテーブルの内容を模式的に示した図である。
【図３】サポートＯＳＤ素材の一例を示し、（ａ）は明るさ、（ｂ）は鏡像モード、（ｃ）は発呼モード、（ｄ）はナイトモード、（ｅ）は制御出力を示す図である。
【図４】＊キーコマンドの第１階層のサポートＯＳＤを示す模式図である。
【図５】＃キーコマンドの第１階層のサポートＯＳＤを示す模式図である。
【図６】＊キーコマンドの第２階層のサポートＯＳＤを示す模式図である。
【図７】＊キーコマンドまたは＃キーコマンドの第２階層のサポートＯＳＤを示す模式図である。
【図８】主動作の流れを示すフローチャートである。
【図９】コマンドエラーの流れを示すフローチャートである。
【図１０】タイマＡの割り込み処理を示すフローチャートである。
【図１１】タイマＢの割り込み処理を示すフローチャートである。
【図１２】動作時における操作側から見た流れを示す模式図である。
【符号の説明】
【０１０５】
１  …  情報提供装置
３  …  カメラ（映像出力部）
７  …  音声信号処理部
９  …  映像信号処理部
１１  …  テレビ電話プロトコル処理部
１３  …  通信制御部
１７  …  テレビ電話端末機
１７ａ  …  表示部
１７ｂ  …  キー入力部
１９  …  ＤＴＭＦ信号抽出部
２０  …  制御部
２１  …  サポートＯＳＤ制御部（リセット判断部）
２９  …  コマンド解析部（完成判断部）
３３  …  サポートＯＳＤ生成部
３５  …  コマンド実行部
３７  …  記憶部
４３  …  タイマＡ
４５  …  タイマＢ
４７  …  制御出力部
ＦＬ１〜３、ＦＬ７，ＦＬ８  …  操作流れ
【図１】
2006165852.tif 000003
【図２】
2006165852.tif 000004
【図３】
2006165852.tif 000005
【図４】
2006165852.tif 000006
【図５】
2006165852.tif 000007
【図６】
2006165852.tif 000008
【図７】
2006165852.tif 000009
【図８】
2006165852.tif 000010
【図９】
2006165852.tif 000011
【図１０】
2006165852.tif 000012
【図１１】
2006165852.tif 000013
【図１２】
2006165852.tif 000014